(57)【特許請求の範囲】
【請求項１】
ラケット板体のグリップ部側周辺部からグリップ部全体に至るラケット本体の部分の表裏両面側外面に，炭素繊維素材とコルクシ−ト等の柔軟材とからなる本体撥形補強部材を装着し、その外面にグリップを取り付けてなり、本体撥形補強部材は炭素繊維素材を外側にコルクシ−ト等の柔軟材を内側にしてそれを重合しているとともに、本体撥形補強部材の拡開側先端部の位置をグリップのラケット板体側先端部とほぼ同一線上となしたことを特徴とするペンホルダ−型又はシェ−クハンド型卓球用ラケット。
【請求項２】
ラケット板体のグリップ部側周辺部からグリップ部全体に至るラケット本体の部分の表裏両面側外面に，炭素繊維素材とコルクシ−ト等の柔軟材とからなる本体撥形補強部材を装着し、その外面に，底部に炭素繊維素材とコルクシ−ト等の柔軟材とからなるグリップ底部補強部材を装着したグリップを取り付けてなり、本体撥形補強部材とグリップ底部補強部材は，炭素繊維素材を外側にコルクシ−ト等の柔軟材を内側にしてそれを重合しているとともに、本体撥形補強部材の拡開側先端部の位置をグリップのラケット板体側先端部とほぼ同一線上となしたことを特徴とするペンホルダ−型卓球用ラケット。
【請求項３】
ラケット板体のグリップ部側周辺部からグリップ部全体に至るラケット本体の部分の表裏両面側外面に，炭素繊維素材とコルクシ−ト等の柔軟材とからなる本体撥形補強部材を装着し、その外面に，底部に炭素繊維素材とコルクシ−ト等の柔軟材とからなるグリップ底部補強部材を装着し内部に炭素繊維素材を介在せしめたグリップを取り付けてなり、本体撥形補強部材とグリップ底部補強部材は，炭素繊維素材を外側にコルクシ−ト等の柔軟材を内側にしてそれを重合しているとともに、本体撥形補強部材の拡開側先端部の位置をグリップのラケット板体側先端部とほぼ同一線上となしたことを特徴とするペンホルダ−型又はシェ−クハンド型卓球用ラケット。
【請求項４】
ラケット本体のグリップ部の表裏両面側外面に，底部に炭素繊維素材とコルクシ−ト等の柔軟材とからなるグリップ底部補強部材を装着したグリップを取り付けてなり、グリップ底部補強部材は、炭素繊維素材を外側にコルクシ−ト等の柔軟材を内側にしてそれを重合せしめたものであることを特徴とするペンホルダ−型卓球用ラケット。
【請求項５】
ラケット本体のグリップ部の表裏両面側外面に，底部に炭素繊維素材とコルクシ−ト等の柔軟材とからなるグリップ底部補強部材を装着し内部に炭素繊維素材を介在せしめたグリップを取り付けてなり、グリップ底部補強部材は、炭素繊維素材を外側にコルクシ−ト等の柔軟材を内側にしてそれを重合せしめたものであることを特徴とするペンホルダ−型又はシェ−クハンド型卓球用ラケット。
【請求項６】
ラケット板体のグリップ部側周辺部からグリップ部全体に至るラケット本体の部分の表裏両面のうち表面側外面に，炭素繊維素材とコルクシ−ト等の柔軟材とからなる本体撥形補強部材を装着し、その装着した本体撥形補強部材のグリップ部に相当する外面とその本体撥形補強部材を装着していないラケット本体の部分の裏面側のグリップ部に相当する外面とにグリップを取り付けてなり、本体撥形補強部材は炭素繊維素材を外側にコルクシ−ト等の柔軟材を内側にしてそれを重合しているとともに、本体撥形補強部材の拡開側先端部の位置をグリップのラケット板体側先端部とほぼ同一線上となしたことを特徴とするペンホルダ−型卓球用ラケット。
【請求項７】
ラケット板体のグリップ部側周辺部からグリップ部全体に至るラケット本体の部分の表裏両面のうち表面側外面に，炭素繊維素材とコルクシ−ト等の柔軟材とからなる本体撥形補強部材を装着し、その装着した本体撥形補強部材のグリップ部に相当する外面に，底部に炭素繊維素材とコルクシ−ト等の柔軟材とからなるグリップ底部補強部材を装着したグリップを取り付ける一方その本体撥形補強部材を装着していないラケット本体部分の裏面側のグリップ部に相当する外面には，グリップを取り付けてなり、本体撥形補強部材とグリップ底部補強部材は，炭素繊維素材を外側にコルクシ−ト等の柔軟材を内側にしてそれを重合しているとともに、本体撥形補強部材の拡開側先端部の位置をグリップのラケット板体側先端部とほぼ同一線上となしたことを特徴とするペンホルダ−型卓球用ラケット。
【請求項８】
ラケット板体のグリップ部側周辺部からグリップ部全体に至るラケット本体の部分の表裏両面のうち表面側外面に，炭素繊維素材とコルクシ−ト等の柔軟材とからなる本体撥形補強部材を装着し、その装着した本低撥形補強部材のグリップ部に相当する外面に，底部に炭素繊維素材とコルクシ−ト等の柔軟材とからなるグリップ底部補強部材を装着し内部に炭素繊維素材を介在せしめたグリップを取り付ける一方その本体撥形補強部材を装着していないラケット本体部分の裏面側のグリップ部に相当する外面には，グリップを取り付けてなり、本体撥形補強部材とグリップ底部補強部材は，炭素繊維素材を外側にコルクシ−ト等の柔軟材を内側にしてそれを重合しているとともに、本体撥形補強部材の拡開側先端部の位置をグリップのラケット板体側先端部とほぼ同一線上となしたことを特徴とするペンホルダ−型卓球用ラケット。
【請求項９】
ラケット本体のグリップ部の表裏両面のうち表面側外面に，底部に炭素繊維素材とコルクシ−ト等の柔軟材とからなるグリップ底部補強部材を装着したグリップを取り付け，そのグリップ底部補強部材を装着していないラケット本体のグリップ部の裏面側外面にはグリップを取り付けてなり、グリップ底部補強部材は、炭素繊維素材を外側にコルクシ−ト等の柔軟材を内側にしてそれを重合せしめたものであることを特徴とするペンホルダ−型卓球用ラケット。
【請求項１０】
ラケット本体のグリップ部の表裏両面のうち表面側外面に，底部に炭素繊維素材とコルクシ−ト等の柔軟材とからなるグリップ底部補強部材を装着し内部に炭素繊維素材を介在せしめたグリップを取り付け，そのグリップ底部補強部材を装着していないラケット本体のグリップ部の裏面側外面にはグリップを取り付けてなり、グリップ底部補強部材は、炭素繊維素材を外側にコルクシ−ト等の柔軟材を内側にしてそれを重合せしめたものであることを特徴とするペンホルダ−型卓球用ラケット。
【請求項１１】
ラケット板体のグリップ部側周辺部からグリップ部全体に至るラケット本体の部分の表裏両面側外面に，炭素繊維素材とコルクシ−ト等の柔軟材とからなる本体撥形補強部材を装着し、その外面に，底部に炭素繊維素材とコルクシ−ト等の柔軟材とからなるグリップ底部補強部材を装着したグリップを取り付け、且つ，ラケット本体の厚み方向で内部の表裏両面側寄りにラケット板体とグリップ部の全面に渡って炭素繊維素材を配設せしめてなり、本体撥形補強部材とグリップ底部補強部材は，炭素繊維素材を外側にコルクシ−ト等の柔軟材を内側にしてそれを重合しているとともに、本体撥形補強部材の拡開側先端部の位置をグリップのラケット板体側先端部とほぼ同一線上となしたことを特徴とするシェ−クハンド型卓球用ラケット。
【請求項１２】
ラケット板体のグリップ部側周辺部からグリップ部全体に至るラケット本体の部分の表裏両面側外面に，炭素繊維素材とコルクシ−ト等の柔軟材とからなる本体撥形補強部材を装着し、その外面に，底部に炭素繊維素材とコルクシ−ト等の柔軟材とからなるグリップ底部補強部材を装着し内部に炭素繊維素材を介在せしめたグリップを取り付け、且つ，ラケット本体の厚み方向で内部の表裏両面側寄りにラケット板体とグリップ部の全面に渡って炭素繊維素材を配設せしめてなり、本体撥形補強部材とグリップ底部補強部材は，炭素繊維素材を外側にコルクシ−ト等の柔軟材を内側にしてそれを重合しているとともに、本体撥形補強部材の拡開側先端部の位置をグリップのラケット板体側先端部とほぼ同一線上となしたことを特徴とするシェ−クハンド型卓球用ラケット。
【請求項１３】
ラケット板体のグリップ部側周辺部からグリップ部全体に至るラケット本体の部分の表裏両面側外面に，炭素繊維素材とコルクシ−ト等の柔軟材とからなる本体撥形補強部材を装着し、その外面に，底部に炭素繊維素材とコルクシ−ト等の柔軟材とからなるグリップ底部補強部材を装着したグリップを取り付け、且つ，ラケット本体の厚み方向で内部の中央にラケット板体とグリップ部の全面に渡って一枚の炭素繊維素材を配設せしめてなり、本体撥形補強部材とグリップ底部補強部材は，炭素繊維素材を外側にコルクシ−ト等の柔軟材を内側にしてそれを重合しているとともに、本体撥形補強部材の拡開側先端部の位置をグリップのラケット板体側先端部とほぼ同一線上となしたことを特徴とするシェ−クハンド型卓球用ラケット。
【請求項１４】
ラケット板体のグリップ部側周辺部からグリップ部全体に至るラケット本体の部分の表裏両面側外面に，炭素繊維素材とコルクシ−ト等の柔軟材とからなる本体撥形補強部材を装着し、その外面に，底部に炭素繊維素材とコルクシ−ト等の柔軟材とからなるグリップ底部補強部材を装着し内部に炭素繊維素材を介在せしめたグリップを取り付け、且つ，ラケット本体の厚み方向で内部の中央にラケット板体とグリップ部の全面に渡って一枚の炭素繊維素材を配設せしめてなり、本体撥形補強部材とグリップ底部補強部材は，炭素繊維素材を外側にコルクシ−ト等の柔軟材を内側にしてそれを重合しているとともに、本体撥形補強部材の拡開側先端部の位置をグリップのラケット板体側先端部とほぼ同一線上となしたことを特徴とするシェ−クハンド型卓球用ラケット。
【発明の詳細な説明】
【０００１】
【発明の属する技術分野】
本発明は、炭素繊維素材とコルクシ−ト等の柔軟材とからなる補強部材にてラケット本体の撓りと剛性のバランスを合理的に調整し、堅い感じの板体でありながらソフトな打球感が得られ、ボ−ルに対する吸収力と反発力と操作性に優れる卓球用ラケットに関するものである。
【０００２】
【従来の技術】
従来の卓球用ラケットには、木質板でラケット本体を形成したものと、木質板のラケット本体に炭素繊維素材（カ−ボン）を配したものとがある。
木質板のラケットは一般的に、軟質材で撓りにより打球時のボ−ルに対する吸収力が充分であるため、吸い付くようなソフトな打球感が得られ、ボ−ルに対し充分な回転を与えられるとともに、ボ−ルを意図した方向に操作するコントロ−ルも付け易くボ−ルの伸びと重い球質が得られるという特性を有している。  しかしその反面、材質上及びラケット本体の打球面（ラケット板体）に対するグリップ部（手元）の構造上、撓り後の戻り速度と復元力即ち反発復元力が充分でないため、ボ−ルのスピ−ドと威力と飛距離がやや充分ではないという面を有している。  即ち木質板は軟質材であるため、硬質材の炭素繊維素材に比して元々剛性と反発復元力は小さいのであるが、卓球用ラケットは広幅のラケット本体の打球面（ラケット板体）に対してこれをスイング操作するグリップ部等手元側が極端に絞られて細幅に形成されて衝撃力に対し脆弱な構造となっており、この構造が反発復元力の減少に一層拍車をかけている。  そして、木質板のラケット本体の打球面（ラケット板体）は、材質上、その周辺部が曲げや捩れに対する剛性に優れないという面は否めない。
一方炭素繊維素材（カ−ボン）は、硬質材で引張強度，弾性率（反発復元力），剛性に優れているという性質を有しているため、打球時には、ボ−ルのスピ−ドと威力と飛びに優れるという有利な面を有しているが、撓りによるボ−ルの吸収力に乏しいため、吸い付くようなソフトな打球感は得られず、ボ−ルに充分な回転をかけることができず、ボ−ルを意図した方向に操作するというより当たった瞬間に弾き飛んでいくという感じのためボ−ルに対する思うようなコントロ−ルを付けにくく、球質が軽く棒球となるきらいがあるという卓球にとっては不利な面も有している。
従来の炭素繊維素材を用いた卓球用ラケットは、ラケット本体の打球面（ラケット板体の全面）に炭素繊維素材を配しその特性（力）で直接打球するという構造であったため、木質板の撓り（ボ−ルの吸収力）という特性が阻害されるとともに、前記炭素繊維素材の持つ卓球にとっては不利な面が現出し、使用上好適ではなかった。
また，炭素繊維素材は極めて強い剛性を有しているため、これを木質板のラケット本体外面に直接装着させると、強い剛性の影響で木質板のラケット本体が必要以上に硬直化してその特性が充分に発揮されないという問題も有している。
【０００３】
【発明が解決しようとする課題】
本発明は、斯かる点に鑑みなされたもので、木質板のラケット本体に対する炭素繊維素材を含む補強材の材質の選定と配設位置に工夫を施して双方の性能を有効に発揮させ木質板のラケット本体の撓りと剛性のバランスを合理的に調整して前記従来技術の難点を解消し、堅い感じの板体でありながらソフトな打球感が得られ、ボ−ルに対する吸収力と反発復元力と操作性に優れる卓球用ラケットを提供することを目的とする。
【０００４】
【課題を解決するための手段】
前記の目的を達成するために本発明は、主としてラケット本体の構造上脆弱部分である箇所、即ち、ラケット本体の広幅の打球面に対し細く絞られたラケット板体のグリップ部側周辺部とグリップ部とに至る部分にかけて、炭素繊維素材とコルク等の柔軟材を重合した補強部材を配設して該部分を強化することにより、木質板のラケット本体の撓りと剛性のバランスを合理的に調整し、ボ−ルに対する吸収力と反発復元力と操作性の向上を図るようになしたものである。
前記グリップ部等の強化を図る補強材としては、ラケット本体のラケット板体の下部周辺即ちラケット板体のグリップ部側周辺部からグリップ部全体に至る部分に装着する本体撥形補強部材と、グリップの底部に装着するグリップ底部補強部材と、グリップの内部に配置する炭素繊維素材と、ラケット本体の厚み方向で内部の中央に配置する炭素繊維素材とがあり、これらをラケットの型式（ペンホルダ−，シェ−クハンド）や各種の攻撃と守備の戦法に応じて適宜組み合わせ選定して所定の位置に配置していくものである。
前記補強部材のうち，本体撥形補強部材とグリップ底部補強部材は、炭素繊維素材を外側にコルク等の柔軟材を内側にしてこれらを重合してなるものである。そして本体撥形補強部材は、前記のようにグリップ部のみならずラケット板体のグリップ部側周辺部にも配置するため、先端部が両側に翼状に拡開した三味線や琴の弦を弾く撥のような形状を呈している。
グリップ底部補強部材は、グリップの底面の形状に対応した形状となっている。グリップの内部及びラケット本体の厚み方向内部に配置する炭素繊維素材には、コルク等の柔軟材を重合しない。
この柔軟材には、コルクの他にスポンジ，ゴム等の軟質部材を予定している。 斯かる柔軟材は、炭素繊維素材を木質板のラケット本体外面に直接装着することに伴う炭素繊維素材の強い剛性の影響によるラケット本体の必要以上の硬直化の弊害を防止するためのものである。
前記各種の補強部材のラケット本体に対する具体的配設手段は、以下に示すとおりである。
【０００５】
先ずペンホルダ−型又はシェ−クハンド型卓球用ラケットに共通するものとして、ラケット板体のグリップ部側周辺部からグリップ部全体に至るラケット本体の部分の表裏両面側外面に、本体撥形補強部材を装着し、その外面にグリップを取り付けてなるものである。  この場合、本体撥形補強部材の拡開側先端部の位置は、グリップのラケット板体側先端部とほぼ同一線上に位置せしめている。
これは、前記コルク等の柔軟材の配置と同様に炭素繊維素材による木質板のラケット本体の硬質化の影響従って剛性を適度なものに調整するためである。  これは請求項１の構成に相当する。
【０００６】
次に、前記両型式のラケットに共通するものとして、前記の本体撥形補強部材の外面に、グリップ底部補強部材とグリップ内炭素繊維素材を備えたグリップを取り付ける場合がある。  これは請求項３の構成に相当するものである。
グリップ底部補強部材とグリップ内炭素繊維素材の配置は、共にグリップとラケット本体のグリップ部の強化を図るためのものである。
【０００７】
更に、両型式のラケットに共通するものとして、前記の本体撥形補強部材を用いずに、ラケット本体のグリップ部の表裏両面側外面に、グリップ底部補強部材とグリップ内炭素繊維素材を備えたグリップを取り付ける場合があり、これは請求項５の構成に相当する。
【０００８】
ペンホルダ−型ラケットに適するものとして、前記本体撥形補強部材の外面にグリップ底部補強部材を装着したグリップを取り付ける場合があり、これは請求項２の構成に相当する。
【０００９】
同様にペンホルダ−型ラケットに適するものとして、前記本体撥形補強部材を用いずに、グリップ底部補強部材のみを用いる場合があり、これは請求項４の構成に相当する。
【００１０】
以上の場合は、いずれもラケット板体（打球面）とグリップ部とからなるラケット本体の表裏両面側外面に補強部材を配置する場合についてのものであるが、ラケット本体の表面側の片面のみを打球面とするペンホルダ−型ラケットにおいては、前記の補強部材をその表面側片面のみに配置するものであり、これは請求項６〜１０の構成に相当する。
【００１１】
次に、シェ−クハンド型ラケットに適するものとして、ラケット本体の表裏両面側外面に本体撥形補強部材を，グリップの底部にグリップ底部補強部材を配設し、且つラケット本体の厚み方向で内部の表裏両面側寄りに炭素繊維素材を配設する場合があり、これは請求項１１の構成に相当する。
この場合には、ラケット本体の厚み方向で内部の中央に一枚の炭素繊維素材を配設するときもあり、これは請求項１３の構成に相当する。
【００１２】
同様にシェ−クハンド型ラケットに適するものとして、ラケット本体の表裏両面側外面に本体撥形補強部材を配設し、その外面にグリップ底部補強部材とグリップ内炭素繊維素材を備えたグリップを取り付け、且つラケット本体の厚み方向で内部の表裏両面側寄りに炭素繊維素材を配設する場合があり、これは請求項１２の構成に相当する。
この場合にも、ラケット本体の厚み方向で内部の中央に一枚の炭素繊維素材を配設するときもあり、これは請求項１４の構成に相当する。
【００１３】
【発明の実施の形態】
次に、別紙図面の図１〜図１６を参照して、本発明の実施の形態の一例について説明する。
【００１４】
図１〜図４は第１の実施形態を示すもので、１は、木質板のラケット本体であり、広幅のラケット板体（打球面）２とこれに一体に繋がっている細幅に絞られたグリップ部３とからなっている。  ラケット本体１におけるラケット板体２の下部周辺即ち細く絞られたグリップ部３側周辺部からグリップ部３全体に至る部分の表裏両面側外面に、図２に示す如く先端部が左右両側に翼状に拡開されて撥のような形状を呈している本体撥形補強部材４，４が接着により装着されており、その外面にはコルク又は木質のグリップ５，５が取り付けられている。  従ってラケット本体１の細幅のグリップ部３とラケット板体２の細く絞られたグリップ部側下部周辺部は、上下方向から本体撥形補強部材４，４により挟着されたサンドイッチ構造となっている。
本体撥形補強部材４は、炭素繊維素材（カ−ボン）６とコルクシ−ト等の柔軟材７とからなっており、炭素繊維素材６を外側にコルクシ−ト等の柔軟材７を内側にして重合接着している。  柔軟材７には、コルクシ−トの他にスポンジ，ゴム等の軟質材が用いられる。  ちなみに炭素繊維素材６の厚さは０．３ｍｍ程度，柔軟材７の厚さは０．８ｍｍ程度である。  また、本体撥形補強部材４，４の翼状に拡開された先端部は、図１及び図４に示す如くラケット板体２の下部周辺においてグリップ５，５の先端部とほぼ同一線上に位置している。  図中８，８はペンホルダ−型ラケットにおいてグリップ５，５前方の指掛け部の位置に通常施されているラケット表面の汚れ防止用コルク層である。
このラケットは、ラケット本体の表裏両面を打球面として用いるリバ−シブル打法用で、ペンホルダ−型、シェ−クハンド型のいずれにも実施される。
【００１５】
図５は第２の実施形態を示すもので、前記のラケット本体１の表裏両面に装着された本体撥形補強部材４，４の外面に、底面にグリップ底部補強部材９，９を装着したグリップ５，５を取り付けたものである。
グリップ底部補強部材９は、図９に示す如く、本体撥形補強部材４と同様に炭素繊維素材６とコルクシ−ト等の柔軟材７とからなり、炭素繊維素材６を外側に柔軟材７を内側にして重合させたものである。  そして、グリップ底部補強部材９は、図８に示す如く、グリップ５の底面の形状に対応した形状を有しており、その先端部はラケット板体２（打球面）の細く絞られたグリップ部側周辺部の一部（中央部）に掛かっている。
このラケットは、リバ−シブル打法を用いるペンホルダ−型に実施される。
【００１６】
図６は第３の実施形態を示すもので、ラケット本体１の表裏両面に装着された本体撥形補強部材４，４の外面に、底面にグリップ底部補強部材９，９を装着し内部に炭素繊維素材１０，１０を配設したグリップ５，５を取り付けたものである。  グリップ５の内部に配設する炭素繊維素材１０には、図１０に示す如くコルクシ−ト等の柔軟材７は用いない。
このラケットは、リバ−シブル打法を用いるペンホルダ−型又はシェ−クハンド型に実施される。
【００１７】
図７は第４の実施形態を示すもので、ラケット本体１のグリップ部３の表裏両面側外面に、底面にグリップ底部補強部材９，９を装着したグリップ５，５を取り付けたものである。
このラケットは、リバ−シブル打法を用いるペンホルダ−型に実施される。
【００１８】
図１１は第５の実施形態を示すもので、ラケット本体１のグリップ部３の表裏両面側外面に、底面にグリップ底部補強部材９，９を装着し内部に炭素繊維素材１０，１０を配設したグリップ５，５を取り付けたものである。
このラケットは、リバ−シブル打法を用いるペンホルダ−型又はシェ−クハンド型に実施される。
【００１９】
図１２は第６の実施形態を示すもので、ラケット本体１の表面側外面にグリップ底部補強部材９を装着したグリップ１１を取り付け、ラケット本体１の裏面側には補強部材を装着せず単にグリップ１２を取り付けたものである。
このラケットは、ラケット本体１の表面側片面のみを打球面とするペンホルダ−型に実施される。
【００２０】
図１３は第７の実施形態を示すもので、ラケット本体１の表面側外面に、底面にグリップ底部補強部材９を装着し内部に炭素繊維素材１０を配設したグリップ１１を取り付け、ラケット本体１の裏面側には補強部材を装着せず単にグリップ１２を取り付けたものである。
このラケットも前記と同様にペンホルダ−型に実施される。
このラケット本体１の表面側の片面を打球面とするペンホルダ−型のラケットに実施されるものとしては、前記の２例に限らずその他に、ラケット本体１の表面側にのみ本体撥形補強部材４を装着する場合、またその本体撥形補強部材の外面にグリップ底部補強部材９を備えたグリップを取り付ける場合、更にはそのグリップとして底部補強部材９と内部炭素繊維素材１０を備えたものを取り付ける場合がある。
【００２１】
図１４は第８の実施形態を示すもので、ラケット本体１の表裏両面側外面に，本体撥形補強部材４，４を装着し、その外面に、底面にグリップ底部補強部材９，９を装着したグリップ５，５を取り付けるとともに、ラケット本体１の厚み方向で内部の表裏両面側寄りに炭素繊維素材１３，１３をラケット板体２とグリップ部３の全面に渡って配設したものである。
このラケットはシェ−クハンド型に実施される。
【００２２】
図１５は第９の実施形態を示すもので、ラケット本体１の表裏両面側外面に，本体撥形補強部材４，４を装着し、その外面に、底面にグリップ底部補強部材９，９を装着し内部に炭素繊維素材１０，１０を配設したグリップ５，５を取り付けるとともに、ラケット本体１の厚み方向で内部の表裏両面側寄りに炭素繊維素材１３、１３をラケット板体２とグリップ部３の全面に渡って配設したものである。
このラケットも前記と同様にシェ−クハンド型に実施される。
【００２３】
図１６は第１０の実施形態を示すもので、ラケット本体１の表裏両面側外面に本体撥形補強部材４，４を装着し、その外面に、グリップ底部補強部材９，９を底面に装着したグリップ５，５を取り付けるとともに、ラケット本体１の厚み方向で内部の中央に１枚の炭素繊維素材１４を配設したものである。
この場合には、グリップ５，５として、グリップ底部補強部材９，９のみならず更に内部に炭素繊維素材１０，１０をも備えたものを用いる場合もある。
このラケットも前記と同様にシェ−クハンド型に実施される。
【００２４】
ラケット本体１の表裏両面側外面にグリップ底部補強部材９，９を備えたグリップ５，５を取り付けた場合、グリップ底部補強部材９，９は、ラケット板体２の細く絞られた下部周辺の一部（中央部）からグリップ部３の全体にかけて配設されておりラケット板体２には前記の一部の部分を除き配設されていないため、また，グリップ底部補強部材の炭素繊維素材６はコルクシ−ト等の柔軟材７を介して装着されてその強い剛性の影響が程よく和らげられるため、このラケット本体１の細く絞られた手元側の脆弱部分が適度に強化されて剛性が増すとともに、ラケット板体２（打球面）の撓りは損なわれずに充分に撓りを利かすことができる。
従ってグリップ底部補強部材９，９によりグリップ５，５の延長線方向従ってラケットのスウィング方向への木質のラケット本体１に対する撓りと剛性のバランスが合理的に調整されて、打球時に堅い板の感じでありながらボ−ルに対する吸収力が発揮されてソフトな打球感が得られるとともに、ボ−ルに対し充分な回転を掛けコントロ−ルをつけることができ、炭素繊維素材６の影響に伴う反発復元力の向上により速いスピ−ドで伸びと飛びのある強い威力のあるボ−ルを出すことができ、この場合には、主として鋭いスウィングと回転重視のドライブ攻撃に適する。
そして，グリップ補強部材９，９によるラケット本体１の手元側の強化に伴い手元側のしっかり感とラケット板体２（打球面）との一体感が増し、速いスウィングとタイミングがとり易く、ブレがなく意図したとおりのラケット捌きができ、ラケット操作が良好となる。  また，炭素繊維素材６は極めて振動減衰率が高く，それをコルクシ−ト等の柔軟材７が適度に軽減するので、ラケット本体１の手元側に集中する衝撃のうち不快な振動が除去されるとともに、打球に必要な適度な衝撃が手元側に確実に伝わり意図した打球の感触が得られ打球フィ−リングが良好である。
【００２５】
ラケット本体１の表裏両面側外面に本体撥形補強部材４，４を装着した場合、本体撥形補強部材４，４は、図１，図２に示す如く、前記グリップ底部補強部材９．９が掛かるラケット板体２下部周辺中央部からグリップ部３全体に至るａ部のみならずその先端部両側からラケット板体下部周辺部にまで広がるｂ部にまで及んでいるので、前記グリップ部底部補強部材９，９によるグリップ５，５の延長線方向に沿ったラケット本体１に対する剛性と撓りのバランス調整のみならず、ラケット本体１の周辺部等その面方向に沿ったそのバランス調整も合理的に働き、従ってこの場合には前記ドライブ攻撃のみならずラケット板体２全面等広い面での打球操作が避けられない守備的戦法面においても高い安定した機能を発揮する。
そしてこの場合には、ラケット板体２の周辺部方向の剛性も可及的に向上されるので、ラケット板体２の曲げや捩れに対する剛性が強化され、スイ−トスポットの範囲が広範囲なものとなる。
またこの場合においても、本体撥形補強部材４，４の炭素繊維素材６はコルク等の柔軟材７を介して間接的にラケット本体１に装着されているとともに、本体撥形補強部材４，４の両側に拡開された先端部の位置はグリップ５，５のラケット板体２側の先端部の位置と同一線上に規制されているため、ラケット板体２の撓りを必要以上に押さえるものではなく、従ってその撓りは必要且つ充分に発揮される。
【００２６】
ラケット本体１の片面側に前記本体撥形補強部材４やグリップ底部補強部材９を施したものにおいては、その面側において前記と同様の機能を発揮する。
グリップ５や１１内に炭素繊維素材１０を配設したものにおいては、グリップ底部補強部材９と相まってグリップ５や１１を強化し反発復元力を一層増大させる。
また，ラケット本体１の厚み方向内部に炭素繊維素材１３や１４を配したものにおいては、ラケット板体１表裏両面側外面に配設してそれを挟持するものではないから、グリップ補強部材９や本体撥形補強部材４によるラケット本体１の剛性と撓りの調整機能と相まって、それによって何らラケット本体１の撓り従ってボ−ルに対する吸収力が損なわれるものではないとともに、反発復元力が一層増大される。
【００２７】
【発明の効果】
本発明は上記の構成となしたので、上述の従来技術の諸難点を解消し、次の特有の効果を奏する。
【００２８】
請求項１に係る発明においては、ラケット本体１の表裏両面側外面に上記の如き本体撥形補強部材４，４を配設したので、木質板のラケット本体１と炭素繊維素材６の双方の優れた特性（性能）が有効に発揮されて、ラケット本体１の細く絞られた衝撃に対し脆弱なグリップ部３等手元側の部分が強化されるとともに、それに伴いラケット本体１のグリップ部３の延長方向のみならず周辺部方向等面的な広がりを持ってラケット本体１の撓りが損なわれずにその撓りと剛性のバランスが合理的に調整され、その結果、堅い感じのラケット本体でありながらソフトな打球感が得られ、ボ−ルに対する吸収力と反発復元力と操作性に優れる卓球用ラケットを得ることができる。
更に具体的に詳細に示すと、次のとおりである。
(1) ラケット本体１のグリップ部３等の手元側を中心とする適度な剛性強化で堅いしっかりした板体の感じとなるが、撓りが利いてボ−ルがラケット板体２に吸い付くような吸収性があるため、打球感がソフトとなる。
(2) ボ−ルの吸収力が良いため、ボ−ルを手元に引き付け充分な回転を与えることができ、ボ−ルの指向性従ってコントロ−ルも付け易く、ボ−ルもよく伸びる。
(3) 撓り後の反発復元力が大きいため、速いスピ−ドで伸びと飛びのある威力の強いボ−ルを送ることができる。
(4) ラケット操作で重要なラケット本体１のグリップ部等の手元側が堅くしっかり感がありラケット板体２（打球面）との一体感も増すので、速く鋭くブレがないスウィングが可能となり、打球のタイミングも取り易く、意図したとおりのラケット捌きをなすことができ、ラケットの操作性が良好となる。
(5) 本体撥形補強部材の炭素繊維素材６とコルクシ−ト等の柔軟材７を介して打球時の不快な衝撃振動が除去され打球に必要な適度な衝撃振動のみが手元側に確実に伝達されるので、意図したとおりの打球の感触が得られ、打球フィ−リングが頗る良好である。
(6) 炭素繊維素材（カ−ボン）で直接打球したときのように，球質が軽く棒球となるようなことはなく、回転と伸びとスピ−ドが充分に利いた威力のある重い球質となる。
(7) 従って速く鋭いスウィングと回転重視のドライブ攻撃等攻撃的戦法の面において優れた機能を発揮する。
(8) 本体撥形補強部材４，４の先端部の両側に翼状に拡がった拡開部の存在により、ラケット本体１に対する撓りと剛性のバランスの合理的な調整はラケット板体２の面的方向にも拡がるので、ラケット板体２の周辺部が曲げや捩れに対し強くなり、スイ−トスポットの範囲が広がる。
(9) 従ってドライブ攻撃等攻撃面においてのみならず、ラケット板体２全面等広い面での打球操作が避けられない守備的戦法の面においても高い安定した機能を発揮する。
(10)  ラケット本体１の表裏両面においてグリップ部３等手元側の補強構造が対称構造となっているため、リバ−シブル打法に用いることができる。
【００２９】
請求項２に係る発明においては、本体撥形補強部材４，４の他にグリップ５，５にグリップ底部補強部材９，９を装着しているので、ラケット本体１のグリップ部３等の手元側が一層強化され、前記請求項１におけると同様の効果に加えて、反発復元力が一層増強される。
【００３０】
請求項３に係る発明においては、本体撥形補強部材４，４とグリップ底部補強部材９，９の他にグリップ５，５内に炭素繊維素材１０，１０を配設したので、グリップ５，５が更に強化され、請求項２と同様の効果を奏する。
【００３１】
請求項４に係る発明においては、ラケット本体１の表裏両面の手元側外面にグリップ底部補強部材９，９を装着したグリップ５，５を配設しているので、そのラケット本体１に対するグリップ部３の延長線方向に沿った撓りと剛性のバランスの合理的な調整により、主として前記請求項１におけるドライブ攻撃等攻撃的戦法の面において発揮される機能と同様の効果を奏する。
【００３２】
請求項５に係る発明においては、グリップ底部補強部材９，９の他にグリップ５，５内に炭素繊維素材１０，１０を配設したので、グリップ５，５が更に強化され、請求項４と同様の効果を奏する。
【００３３】
請求項６〜１０に係る発明においては、本体撥形補強部材４，グリップ底部補強部材９，グリップ内部炭素繊維素材１０を夫々適宜組み合わせてラケット本体１の表面側片面に配設したので、その補強部材を配設した面において、夫々請求項１，２，３，４，５と同様の効果を奏する。
【００３４】
請求項１１に係る発明においては、本体撥形補強部材４，４と、グリップ底部補強部材９．９の他に、ラケット本体１の厚み方向で内部に炭素繊維素材１３，１３を配設したので、前記の請求項２と同様の効果を奏するとともに、ラケット本体１の厚み方向内部に配設の炭素繊維素材１３，１３により反発復元力が一層増大される。
なお，このラケット本体の厚み方向内部の炭素繊維素材によってラケット本体１の撓りが損なわれるものでないこと上記に説明したとおりである。
【００３５】
請求項１２に係る発明においては、本体撥形補強部材４，４と、グリップ底部補強部材９．９と、ラケット本体１内部の炭素繊維素材１３，１３の他に、グリップ５，５内に炭素繊維素材１０，１０を配設したので、グリップ５，５が更に強化され、請求項１１と同様の効果を奏する。
【００３６】
請求項１３と１４に係る発明においては、請求項１１と１２の発明におけるラケット本体１の厚み方向内部の炭素繊維素材１３，１３をラケット本体１の厚み方向で内部の中央に一枚配設したので、請求項１１，１２と同様の効果を奏するとともに、請求項１１，１２に比してラケット本体１の撓りを更に充分に利かすことができる。
【図面の簡単な説明】
【図１】本体撥形補強部材を表裏両面に備えたラケット本体の一部を断面とした平面図である。
【図２】本体撥形補強部材の平面図である。
【図３】本体撥形補強部材の縦断面図である。
【図４】本体撥形補強部材を表裏両面に備えたラケット本体の正面図である。
【図５】本体撥形補強部材とグリップ底部補強部材を表裏両面に備えたラケット本体の正面図である。
【図６】本体撥形補強部材とグリップ底部補強部材とグリップ内炭素繊維素材を表裏両面に備えたラケット本体の正面図である。
【図７】グリップ底部補強部材を表裏両面に備えたラケット本体の正面図である。
【図８】グリップ底部補強部材を装着したグリップの一部を断面とした平面図である。
【図９】グリップ底部補強部材の縦断面図である。
【図１０】グリップ内に配設する炭素繊維素材の縦断面図である。
【図１１】グリップ底部補強部材とグリップ内炭素繊維素材を表裏両面に備えたラケット本体の正面図である
【図１２】グリップ底部補強部材を表面側片面に備えたラケット本体の正面図である。
【図１３】グリップ底部補強部材とグリップ内炭素繊維素材を表面側片面に備えたラケット本体の正面図である。
【図１４】本体撥形補強部材とグリップ底部補強部材を表裏両面に備え内部に二枚の炭素繊維素材を配設したラケット本体の正面図である。
【図１５】本体撥形補強部材とグリップ底部補強部材とグリップ内炭素繊維素材を表裏両面に備え内部に二枚の炭素繊維素材を配設したラケット本体の正面図である。
【図１６】本体撥形補強部材とグリップ底部補強部材を表裏両面に備え内部中央に一枚の炭素繊維素材を配設したラケット本体の正面図である。
【符号の説明】
１    ラケット本体
２    ラケット板体
３    グリップ部
４    本体撥形補強部材
５    グリップ
６    炭素繊維素材
７    コルクシ−ト等の柔軟材
８    コルク層
９    グリップ底部補強部材
１０    グリップ内炭素繊維素材
１１    グリップ
１２    グリップ
１３    ラケット本体内炭素繊維素材
１４    ラケット本体内炭素繊維素材
【図１】
0004061390.tif 000002
【図２】
0004061390.tif 000003
【図３】
0004061390.tif 000004
【図４】
0004061390.tif 000005
【図５】
0004061390.tif 000006
【図６】
0004061390.tif 000007
【図７】
0004061390.tif 000008
【図８】
0004061390.tif 000009
【図９】
0004061390.tif 000010
【図１０】
0004061390.tif 000011
【図１１】
0004061390.tif 000012
【図１２】
0004061390.tif 000013
【図１３】
0004061390.tif 000014
【図１４】
0004061390.tif 000015
【図１５】
0004061390.tif 000016
【図１６】
0004061390.tif 000017